(57)【要約】      （修正有）【課題】適応性の高いガイドサポートを備えた縦糸停止装置を提供する。【解決手段】ガイドサポートを備えた縦糸停止装置であって、前記ガイドサポート１５が、２本の支持チューブ１１用の２個の台座を有する中央部を備え、前記ガイドサポートが、前記ガイドサポートを前記支持チューブに固定するシステムを備えた縦糸停止装置において、固定システム３０が、垂直方向に配置され前記中央部に正逆方向に円運動自在に取り付けられた２個のレバーを備え、前記レバーの下部に取り付けられた操縦ねじ４１が、前記支持チューブに対する２個のレバーの開閉を可能にしていることを特徴とする縦糸停止装置。【選択図】図２
0003225665.tif 000002
【実用新案登録請求の範囲】
【請求項１】
ガイドサポートを備えた縦糸停止装置であって、前記ガイドサポートが、２本の支持チューブ用の２個の台座を有する中央部を備え、前記ガイドサポートが、前記ガイドサポートを前記支持チューブに固定するシステムを備えた縦糸停止装置において、前記固定システムが、垂直方向に配置され前記中央部に正逆方向に円運動自在に取り付けられた２個のレバーを備え、前記レバーの下部に取り付けられた操縦ねじが、前記支持チューブに対する２個のレバーの開閉を可能にしていることを特徴とする縦糸停止装置。
【請求項２】
２本の支持チューブ用の前記台座が、前記中央部の２個の延長部を備え、それらの延長部は、延長部と中央部との間に凹部を残して、凹部が上方を向いた２個の側部フックを構成していることを特徴とする請求項１に記載の縦糸停止装置。
【請求項３】
前記２個のレバーが、前記２個の側部フックに設けられた２個の穴に枢着されたピンを備えていることを特徴とする請求項２に記載の縦糸停止装置。
【請求項４】
前記操縦ねじが、第１の直径を有する軸の第１の部分を備え、第１の部分は前記第１の直径よりも大きな第２の直径を有する軸の第２の部分に固定され、第２の部分は軸の第３のねじ切り部分に固定されていることを特徴とする請求項１に記載の縦糸停止装置。
【請求項５】
前記２個のレバーの下端部には、穴が設けられ、この穴にはシリンダが挿入されていることを特徴とする請求項１に記載の縦糸停止装置。
【請求項６】
一方のシリンダには貫通孔が設けられ、もう一方のシリンダにはねじ孔が設けられていることを特徴とする請求項５に記載の縦糸停止装置。
【請求項７】
軸の前記第１の部分が、貫通孔を有するシリンダに挿入され、軸の前記第３のねじ切り部分が、前記ねじ切りをしたシリンダにねじ込んでいることを特徴とする請求項４又は５に記載の縦糸停止装置。
【請求項８】
軸の前記第２の部分が、貫通孔を有する前記シリンダに突き合わさるように構成されていることを特徴とする請求項７に記載の縦糸停止装置。
【考案の詳細な説明】
【技術分野】
【０００１】
本考案は、ガイドサポートを備えた縦糸停止装置に関し、特に、ガイドサポート用の手動固定システムに関する。
【背景技術】
【０００２】
縦糸停止装置は、織機の付属装置であり、個々の縦糸を制御する機能を有し、糸が破損した場合には、直ちに織りを停止する。
【０００３】
縦糸停止装置の構造は、基本的に、チューブによって互いに連結された２個の端部片からなっている。
【０００４】
これらの端部片は、バンク（すなわち、互いに絶縁されたスチール製の接触棒）を支持し、バンクは、縦糸が切れた場合には、電気回路を電気的に閉じることにより、停止信号を織機に送る。
【０００５】
「ガイドサポート」として知られる２以上の支持体が、バンクを支持する機能を有し、中間位置に配置される。
【０００６】
支持体の位置は、使用者の要求によって変えることができ、使用者は、２個の端部片を接続するチューブに沿って、支持体の位置を変えることができる。こうするには、オペレータは、合目的に設計された手段（例えば、六角レンチ、トルクスレンチ（「トルクス」は登録商標である。）、ねじ回し等）を頼りに、ねじを緩め、ガイドサポートの位置を変え、その後、もう一度合目的手段を用いて、ガイドサポートを所定の位置に戻さなければならない。
【考案の概要】
【考案が解決しようとする課題】
【０００７】
本考案の目的は、適応性の高いガイドサポートを備えた縦糸停止装置を提供することである。
【０００８】
本考案の別の目的は、位置を変えるのが容易なガイドサポートを提供することである。
【課題を解決するための手段】
【０００９】
本考案によれば、ガイドサポートを備えた縦糸停止装置であって、前記ガイドサポートが、２本の支持チューブ用の２個の台座を有する中央部を備え、前記ガイドサポートが、前記ガイドサポートを前記支持チューブに固定するシステムを備えた縦糸停止装置において、前記固定システムが、垂直方向に配置され前記中央部に蝶番で取り付けられた２個のレバーを備え、前記レバーの下部に取り付けられた操縦ねじが、前記支持チューブに対する２個のレバーの開閉を可能にしていることを特徴とする縦糸停止装置によって前記の目的及び他の目的が達成される。
【００１０】
本考案のさらなる特徴は、従属請求項に記載されている。
【考案の効果】
【００１１】
本考案の解決手段の利点は、先行技術の解決手段と比較して多大である。
【００１２】
本考案の解決手段は、縦糸停止装置において、より正確には、ガイドサポート、作業者が自身の手だけを用いて、したがって、特殊な装置に頼ることなしにガイドサポートを固定及び解放することのできるシステムにおいて実行するものである。
【００１３】
これは、時短の面から見て、大きな利点をもたらす。幾つかのガイドサポートが、１個の縦糸停止装置に実装される。織機の設置工程の間に、ガイドサポートを何度か移動させなければならないことがある。そのため、極めて便利であり、特殊な手段を用いらざるを得ないということがなく、時間がかからない。
【００１４】
本考案の特徴及び利点は、添付図面に非限定の例示として示す本考案の具体的な実施の形態の以下に述べる詳細な説明から明らかになる。
【図面の簡単な説明】
【００１５】
【図１】本考案による幾つかの（複数の）ガイドサポートを備えた縦糸停止装置の一部を示している。
【図２】本考案によるガイドサポートを示している。
【図３】本考案によるガイドサポートの中央部を示している。
【図４】本考案によるガイドサポートを固定するシステムを示している。
【考案を実施するための形態】
【００１６】
添付図面を参照すると、縦糸停止装置１０が、２本の支持チューブ１１を備えており、それらの支持チューブは、互いに平行に配置され、それらの端部において２個の端部片１２によって固定されている。
【００１７】
縦糸停止装置１０は、支持チューブ１１に連結された補強サポート１６を、さらに備えていてもよい。
【００１８】
数個のガイドサポート１５が、中間位置に配置され、取り外し可能な態様で支持チューブ１１に固定されている。
【００１９】
ガイドサポート１５は、中央部２０を備えている。中央部は、上部に、バンク２１を支持する４本の垂直方向のスリットを有している。これらのスリットの下側には、平坦なバー２２を支持する３本の垂直方向のスリットがある。中央部の傍らには、補強バー２３が配置される丸い凹みがあるのが好ましい。
【００２０】
したがって、ガイドサポート１５は、端部片１２とともに、バンク２１と平坦なバー２２とを支持している。
【００２１】
図面には、４個のバンクと３個の平坦なバーが示されているが、それらは、要求に応じて何個であってもよい。
【００２２】
ガイドサポート１５の中央部２０は、底部側方に２個の延長部２４を有する実質的に長方形の本体からなっており、それらの延長部は、延長部と中央部２０との間に凹部２５を残して、凹部が上方を向いたＵ字形の２個の側部フック２６を構成している。
【００２３】
目的に適した形状のこれら２個の台座としての凹部２５には、この具体例では長い（垂直方向の）直線状の側部を有する楕円形の断面を有する支持チューブ１１が配置されている。
【００２４】
フック２６の上部の外端には、貫通孔２７が設けられている。
【００２５】
ガイドサポート１５は、ガイドサポートを支持チューブ１１に固定するシステム３０を備えている。
【００２６】
固定システム３０は、２個の垂直方向のレバー３１を有しており、垂直方向のレバーは各々、垂直方向のレバーのほぼ中間に設けられ、貫通孔２７に嵌入して貫通孔内に固定されるピン３２を有している。２個のレバー３１は、それぞれピン３２を中心として正逆方向に円運動できるようになっていて、中央部に正逆方向に円運動自在に取り付けられる。
【００２７】
垂直方向のレバー３１は、上部にガイドサポート１５の中央部２０に面する傾斜部を有することにより、支持チューブ１１に対する把持力を高めてもよい。
【００２８】
各垂直方向のレバー３１の下端部には、穴が設けられ、それぞれシリンダ３９及び４０が挿入され、それらのシリンダは、それぞれの穴の中で回転することができる。操縦ねじ４１が、２個のシリンダ３９及び４０と連結しており、したがって２個の垂直方向のレバー３１と連結している。
【００２９】
操縦ねじ４１は、一方の側にノブ４２を備え、そのため、互いに固定された第１の直径を有する軸の第１の部分４３、軸の第１の部分４３の第１の直径よりも大きな第２の直径を有する軸の第２の部分４４及び最後にノブ４２が固定された位置の反対側の垂直方向のレバー３１にあるシリンダ４０にねじ込まれた軸の第３のねじ切り部分４５を、順次備えている。
【００３０】
ノブ４２は、円形で握り易いように外側にギザギザがついているが、他のタイプのノブを用いてもよい。
【００３１】
軸の第１の部分４３は、（ノブ４２の近くにある方の）シリンダ３９の穴に挿入され、軸の第１の部分４３と、シリンダ３９と対向する軸の第２の部分４４との間の直径の違いにより、軸の第２の部分４４がシリンダ３９と突き合わせになる。
【００３２】
ピン３２は、貫通孔２７内に固定されているので、ノブ４２を回転させて垂直方向のレバー３１を開くことによりシリンダ４０が引き戻され、ピン３２を中心にして回転する垂直方向のレバー３１の先端を開かせ、軸の第１の部分４３とシリンダ３９とが最早互いに突き合わさっていないので、もう一方の垂直方向のレバー３１の先端も開くことができる。
【００３３】
そのため、この時点で、固定システム３０を支持チューブ１１から解放し、必要に応じて支持チューブ１１に沿ってガイドサポート１５を移動させることが可能となる。
【００３４】
ガイドサポート１５を新しい位置に配置すると、ノブ４２を反対方向に回して戻すことにより、ガイドサポートを支持チューブ１１に固定することができる。
【００３５】
シリンダ４０が、前方に押され、垂直方向のレバー３１の先端を支持チューブ１１に近づけ、もう一方の側では、軸の第２の部分４４とシリンダ３９とが突き合わさって、もう一方の垂直方向のレバー３１の先端を支持チューブ１１に向かって押し、それにより、固定システム３０を支持チューブ１１に固定する。
【００３６】
操縦ねじ４１が、操縦ねじを水平位置に維持することのできる垂直方向のレバー３１の下端部に収容されたシリンダ３９及び４０に作用する。ガイドサポート１５の支持チューブ１１への固定が、軸の第３のねじ切り部分４５において比較的狭いピッチを有する操縦ねじ４１が、垂直方向のレバー３１に高い把持力を与えるようになることにより保証される。さらに、ガイドサポート１５の中央部２０が、熱可塑性材料でできているので、ガイドサポートの中央部は、若干の弾性変形を受け、これが、固定システムの締まりの良さをさらに保証する。
【００３７】
最後に、この固定システムは、ガイドサポート１５用として説明してきたが、補強サポート１６又は縦糸停止装置に取り付ける他のいかなる付属部材に実装することもできる。
【図１】
0003225665.tif 000003
【図２】
0003225665.tif 000004
【図３】
0003225665.tif 000005
【図４】
0003225665.tif 000006
【手続補正書】
【提出日】令和2年1月21日(2020.1.21)
【手続補正１】
【補正対象書類名】実用新案登録請求の範囲
【補正対象項目名】請求項７
【補正方法】変更
【補正の内容】
【請求項７】
軸の前記第１の部分が、貫通孔を有するシリンダに挿入され、軸の前記第３のねじ切り部分が、前記ねじ切りをしたシリンダにねじ込んでいることを特徴とする請求項４に記載の縦糸停止装置。